(57)【要約】【課題】第１のケースに対するクランプの組み付け作業及びクランプによる第１のケースと第２のケースとの締結作業の工数を減らすこと。【解決手段】クランプ３０の基端部３１は、第１のケース１０に対して外周側から組み付けられて回動不能に支持される。掛止部３２は、基端部３１よりも後側に位置している。延在部３３は、基端部３１の後端に連なる第１の部分３３１と、掛止部３２の後端に連なる第２の部分３３２と、掛止部３２よりも後側に位置するとともに第１の部分３３１と第２の部分３３２とを連結する連結部３３３とを有している。第１の部分３３１及び第２の部分３３２は、それぞれ平面状をなしている。【選択図】図７
2018091363.tif 000002
【特許請求の範囲】
【請求項１】
第１のケースに支持される基端部と、第２のケースに掛止可能な掛止部と、前記基端部と前記掛止部との間に延在する延在部とを有し、自身の弾性変形により前記掛止部が前記第２のケースに掛止されることで前記第１のケースと前記第２のケースとを締結するクランプにおいて、
前記基端部は、前記第１のケースに対して外周側から組み付けられて回動不能に支持されるものであり、
前記第１のケースに対する前記基端部の組み付け方向の前側及び後側をそれぞれ前側及び後側とするとき、
前記掛止部は、前記基端部よりも後側に位置しており、
前記延在部は、前記基端部の後端に連なる第１の部分と、前記掛止部の後端に連なる第２の部分と、前記掛止部よりも後側に位置するとともに前記第１の部分と前記第２の部分とを連結する連結部とを有しており、
前記第１の部分は、平面状、または前側に向けて膨出した円弧面状をなしており、
前記第２の部分は、平面状、または前側に向けて膨出した円弧面状をなしている、
クランプ。
【請求項２】
前記第１の部分及び前記第２の部分は、それぞれ平面状をなしている、
請求項１に記載のクランプ。
【請求項３】
前記基端部は、前記第１のケースにおける組み付け位置に向けて自身を案内する案内面を有している、
請求項１または請求項２に記載のクランプ。
【請求項４】
前記基端部は、前記第１の部分に連なるストレート部と、同ストレート部の前側の端にて後側に向けて折り返された折り返し部とを有しており、
前記案内面は、前記ストレート部及び前記折り返し部の外面により形成されている、
請求項３に記載のクランプ。
【請求項５】
前記折り返し部の先端には、前記第１のケースに係合される係合部が形成されている、
請求項４に記載のクランプ。
【請求項６】
請求項１〜請求項５のいずれか一項に記載のクランプと、
前記クランプの前記基端部を回動不能に支持する支持部を有する前記第１のケースと、
前記掛止部が掛止される被掛止部を有する前記第２のケースとを備え、
前記掛止部が前記被掛止部に掛止されることで前記第１のケースと前記第２のケースとが締結される、
クランプ締結構造。
【請求項７】
前記基端部は、前記延在部に連なるストレート部と、同ストレート部の前側の端にて後側に向けて折り返された折り返し部とを有しており、
前記ストレート部及び前記折り返し部の外面は、前記第１のケースにおける組み付け位置に向けて前記基端部を案内する案内面を形成しており、
前記折り返し部の先端には、係合部が形成されており、
前記支持部は、前記クランプの前記基端部が挿入される挿入凹部と、前記係合部が係合されることにより前記挿入凹部からの前記基端部の抜け出しを規制する規制部とを有している、
請求項６に記載のクランプ締結構造。
【発明の詳細な説明】
【技術分野】
【０００１】
本発明は、第１のケースに支持される基端部と、第２のケースに掛止可能な掛止部と、基端部と掛止部との間に延在する延在部とを有し、自身の弾性変形により掛止部が第２のケースに掛止されることで第１のケースと第２のケースとを締結するクランプ及びクランプ締結構造に関する。
【背景技術】
【０００２】
従来、この種のクランプ締結構造は、例えば車載内燃機関のエアクリーナのケース同士を締結する構造として用いられている（例えば特許文献１参照）。
図１０に示すように、特許文献１に記載のエアクリーナは、第１のケース１１０、第２のケース１２０、及びこれらのケース１１０，１２０の内部に収容されるフィルタエレメント４０を備えている。また、エアクリーナには、第１のケース１１０と第２のケース１２０とを締結するクランプ１３０が設けられている。
【０００３】
クランプ１３０は、第１のケース１１０の支持軸部１１５に外嵌されて支持軸部１１５により揺動可能に支持される基端部１３１、第２のケース１２０の被掛止部１２５に掛止される掛止部１３２、及び基端部１３１と掛止部１３２との間に延在する断面円弧状の延在部１３３を有している。また、掛止部１３２には、操作部１３４が連なって形成されている。
【０００４】
作業者は、クランプ１３０により第１のケース１１０と第２のケース１２０とを締結する際、操作部１３４を把持して基端部１３１を中心にクランプ１３０を傾動させるとともに、操作部１３４を同図の上方に向けて引っ張ることにより、延在部１３３を弾性変形させつつ掛止部１３２を被掛止部１２５に掛止させる。
【０００５】
また、こうしたクランプ締結構造を備えるエアクリーナの製造工程では、まず、第１のケース１１０の支持軸部１１５にクランプ１３０の基端部１３１を外嵌させることにより第１のケース１１０に対してクランプ１３０を組み付ける。続いて、クランプ１３０の操作部１３４を上記のように操作することにより、第１のケース１１０と第２のケース１２０とを締結する。
【先行技術文献】
【特許文献】
【０００６】
【特許文献１】特開２０１１−２４７３５４号公報
【発明の概要】
【発明が解決しようとする課題】
【０００７】
ところで、特許文献１に記載の技術を含む従来のクランプ及びクランプ締結構造の場合、第１のケース１１０に対してクランプ１３０の基端部１３１を組み付ける工程と、クランプ１３０によって第１のケース１１０と第２のケース１２０とを締結する工程とが別々に必要となる。そのため、工数が多くなり、製造に手間を要するものとなっている。
【０００８】
本発明の目的は、第１のケースに対するクランプの組み付け作業及びクランプによる第１のケースと第２のケースとの締結作業の工数を減らすことのできるクランプ及びクランプ締結構造を提供することにある。
【課題を解決するための手段】
【０００９】
上記目的を達成するためのクランプは、第１のケースに支持される基端部と、第２のケースに掛止可能な掛止部と、前記基端部と前記掛止部との間に延在する延在部とを有し、自身の弾性変形により前記掛止部が前記第２のケースに掛止されることで前記第１のケースと前記第２のケースとを締結する。前記基端部は、前記第１のケースに対して外周側から組み付けられて回動不能に支持されるものであり、前記第１のケースに対する前記基端部の組み付け方向の前側及び後側をそれぞれ前側及び後側とするとき、前記掛止部は、前記基端部よりも後側に位置しており、前記延在部は、前記基端部の後端に連なる第１の部分と、前記掛止部の後端に連なる第２の部分と、前記掛止部よりも後側に位置するとともに前記第１の部分と前記第２の部分とを連結する連結部とを有しており、前記第１の部分は、平面状、または前側に向けて膨出した円弧面状をなしており、前記第２の部分は、平面状、または前側に向けて膨出した円弧面状をなしている。
【００１０】
また、上記目的を達成するためのクランプ締結構造は、前記クランプと、前記クランプの前記基端部を回動不能に支持する支持部を有する前記第１のケースと、前記掛止部が掛止される被掛止部を有する前記第２のケースとを備え、前記掛止部が前記被掛止部に掛止されることで前記第１のケースと前記第２のケースとが締結される。
【００１１】
同構成によれば、クランプの延在部の連結部を外周側から第１のケースに向けて押し付けることにより、第１のケースの支持部に対してクランプの基端部が組み付けられる。このとき、延在部の第１の部分が平面状、または前側に向けて膨出した円弧面状をなしており、第２の部分が平面状、または前側に向けて膨出した円弧面状をなしており、且つ基端部が第１のケースに対して回動不能に支持されている。このため、クランプを押し付ける力によって延在部が伸びるように弾性変形する。これにより、掛止部が第２のケースの被掛止部を乗り越える。その後、押し付け力を解除すると、第２の部分が復元して第２のケースの被掛止部に掛止され、第１のケースと第２のケースとが締結される。
【００１２】
このように、上記構成によれば、クランプの延在部の連結部を外周側から第１のケース及び第２のケースに向けて押し付ける一連の工程によって、第１のケースに対してクランプを組み付けるとともに同クランプによって第１のケースと第２のケースとを締結することができる。
【発明の効果】
【００１３】
本発明によれば、第１のケースに対するクランプの組み付け作業及びクランプによる第１のケースと第２のケースとの締結作業の工数を減らすことができる。
【図面の簡単な説明】
【００１４】
【図１】クランプ及びクランプ締結構造が適用された内燃機関のエアクリーナの一実施形態について、エアクリーナを示す斜視図。
【図２】（ａ）は、同実施形態のクランプを示す斜視図、（ｂ）は、同実施形態のクランプを示す断面図。
【図３】図１の一部を拡大して示す拡大斜視図。
【図４】図３に対応する図であって、クランプが組み付けられていない状態を示す拡大斜視図。
【図５】図３の５−５線に沿ったエアクリーナの断面構造を示す断面図。
【図６】図３の６−６線に沿ったエアクリーナの断面構造を示す断面図。
【図７】同実施形態のクランプの組み付け工程及びクランプによる第１のケース及び第２のケースの締結工程を説明する図であって、（ａ）は、組み付け前の状態を示す断面図、（ｂ）は、締結後の状態を示す断面図。
【図８】第１の変形例のクランプを示す断面図。
【図９】第２の変形例のクランプを示す断面図。
【図１０】従来のエアクリーナのクランプ締結構造を示す断面図。
【発明を実施するための形態】
【００１５】
以下、図１〜図７を参照して、本発明を内燃機関のエアクリーナのクランプ及びクランプ締結機構として具体化した一実施形態について説明する。
図１に示すように、エアクリーナは、内燃機関の吸気通路に設けられるものであり、第１のケース１０及び第２のケース２０を備えている。
【００１６】
図１、図５及び図６に示すように、第１のケース１０は、開口１１を取り囲む周壁１２を備えている。第２のケース２０は、開口２１を取り囲む周壁２２を備えている。
図１、図３及び図４に示すように、開口１１の周縁には、外周側に向けて突出するフランジ１３が形成されている。周壁１２の外面には、第１のケース１０の内外を連通する筒状のインレット１４が突設されている（図１参照）。開口２１の周縁には、外周側に向けて突出する環状のフランジ２３が形成されている。周壁２２の外面には、第２のケース２０の内外を連通する筒状のアウトレット２４が突設されている（図１参照）。
【００１７】
図５及び図６に示すように、第１のケース１０の開口１１と第２のケース２０の開口２１との間には、フィルタエレメント４０が収容されている。フィルタエレメント４０は、不織布や濾紙などの濾材シートを襞折りして形成された濾過部４１と、濾過部４１の周縁に設けられた環状のシール部４２とを有している。第１のケース１０のフランジ１３と、第２のケース２０のフランジ２３とによってシール部４２が挟持されることにより、第２のケース２０のフランジ２３とシール部４２との間がシールされている。
【００１８】
次に、第１のケース１０と第２のケース２０とを締結するクランプ３０及びクランプ締結構造について説明する。
まず、クランプ３０について説明する。
【００１９】
図２（ａ）及び図２（ｂ）に示すように、クランプ３０は、第１のケース１０に支持される基端部３１と、第２のケース２０に掛止可能な掛止部３２と、基端部３１と掛止部３２との間に延在する延在部３３とを有している。また、掛止部３２には、操作部３４が連なって形成されている。クランプ３０は、所定の幅を有するばね鋼などの金属板材を曲げ加工することにより形成されている。
【００２０】
＜基端部３１＞
基端部３１は、第１のケース１０に対して外周側から組み付けられて回動不能に支持されるものである。以降において、第１のケース１０に対して基端部３１を組み付ける方向（同図の左右方向であり、以下、組み付け方向Ａ）の前側及び後側をそれぞれ「前側」及び「後側」とし、組み付け方向Ａ及びクランプ３０の幅方向の双方に直交する方向（同図の上下方向）を「直交方向Ｂ」として説明する。
【００２１】
基端部３１は、組み付け方向Ａに沿って延在するストレート部３１１と、ストレート部３１１の前側の端に連なるとともに屈曲部分を介して後側に向けて折り返された折り返し部３１２とを有しており、略Ｕ字状をなしている。折り返し部３１２は、直交方向Ｂにおいてストレート部３１１よりも掛止部３２側（同図の上側）に位置している。
【００２２】
図２（ａ）に示すように、折り返し部３１２の先端部には、２つのスリットが幅方向に間隔をおいて形成されており、同先端部は、内側係合部３１３と、内側係合部３１３の幅方向の外側にそれぞれ位置する一対の外側係合部３１４とに分割されている。各外側係合部３１４は、その基端において折り曲げられており、それら係合部３１４の先端が直交方向Ｂにおいて内側係合部３１３よりも掛止部３２側（同図の上側）に位置している。
【００２３】
＜掛止部３２＞
図２（ａ）及び図２（ｂ）に示すように、掛止部３２は、基端部３１よりも後側に位置しており、延在部３３の前側の端において屈曲するとともに前側ほど直交方向Ｂにおいて基端部３１側（同図の下側）に位置するように延在している。
【００２４】
＜延在部３３＞
延在部３３は、基端部３１の後端に連なる第１の部分３３１と、掛止部３２の後端に連なる第２の部分３３２と、掛止部３２よりも後側に位置するとともに第１の部分３３１と第２の部分３３２とを連結する連結部３３３とを有しており、断面「く」字状をなしている。
【００２５】
図２（ｂ）に示すように、第１の部分３３１及び第２の部分３３２は、それぞれ平面状をなしている。
連結部３３３は、直交方向Ｂにおいて基端部３１と掛止部３２との中間に位置しており、後側に向けて突出した断面円弧状をなしている。
【００２６】
＜操作部３４＞
図２（ａ）及び図２（ｂ）に示すように、操作部３４は、掛止部３２の前側の端において屈曲するとともに直交方向Ｂにおいて基端部３１から離間するほど、すなわち同図の上側ほど後側に位置するように延在しており、断面「へ」字状をなしている。
【００２７】
次に、クランプ３０の基端部３１を支持する第１のケース１０の支持部１５、及びクランプ３０の掛止部３２が掛止される第２のケース２０の被掛止部２５について説明する。
＜支持部１５＞
図３〜図６に示すように、支持部１５は、第１のケース１０の周壁１２の外面に形成されている。
【００２８】
図３及び図４に示すように、周壁１２の外面には、周方向に間隔をおいて形成された一対の突出壁１５３が突設されている。これら突出壁１５３の先端部同士の間には、周壁１２に対向する対向壁１５４が形成されている。対向壁１５４は、一対の突出壁１５３の下端部には設けられていない。
【００２９】
周壁１２の外面のうち一対の突出壁１５３の間の部分には、支持壁１５５が突設されている。支持壁１５５は、一対の突出壁１５３に対して間隔をおいて形成されている。また、支持壁１５５は、対向壁１５４よりも直交方向Ｂにおいて第２のケース２０から離れる側（同図の下側）に位置している。支持壁１５５の上面は、組み付け方向Ａに沿って延在している。
【００３０】
図３、図４及び図６に示すように、対向壁１５４の下端の中央部には、下方に向けて突出した規制突部１５２が形成されている。
図５に示すように、対向壁１５４の下端のうち規制突部１５２の形成されていない両側部分と周壁２２の外面との間は、連結部１５６によりそれぞれ連結されている。
【００３１】
図３〜図６に示すように、一対の突出壁１５３の内面と、対向壁１５４の下端と、支持壁１５５の上面と、連結部１５６の下面とによって、クランプ３０の基端部３１が挿入される挿入凹部１５１が形成されている。
【００３２】
図５及び図６に示すように、支持部１５の挿入凹部１５１に基端部３１が挿入された状態において、クランプ３０の内側係合部３１３の先端（後端）が規制突部１５２の内面に当接されるとともに、一対の外側係合部３１４が一対の連結部１５６の下面に対して復元力により押圧されている。これらにより、挿入凹部１５１からの基端部３１の抜け出しが規制されている。
【００３３】
＜被掛止部２５＞
図３〜図６に示すように、被掛止部２５は、第２のケース２０のフランジ２３の外面に形成されており、直交方向Ｂにおいて第１のケース１０から離れる側（同図の上側）に向けて突出した山部２５１を有している。フランジ２３の外面には、被掛止部２５を周方向の外側から挟む一対のリブ２６が一体に形成されている。
【００３４】
次に、本実施形態の作用について説明する。
図７（ａ）及び図７（ｂ）に示すように、組立用ロボットのハンドによりクランプ３０の連結部３３３を把持するとともにクランプ３０を外周側から第１のケース１０に向けて押し付けることにより、支持部１５の挿入凹部１５１の内部にクランプ３０の基端部３１が挿入されて組み付けられる。
【００３５】
このとき、図７（ｂ）に二点鎖線にて示すように、延在部３３の第１の部分３３１及び第２の部分３３２がそれぞれ平面状をなしており、且つ基端部３１が第１のケース１０に対して回動不能に支持されているため、クランプ３０を押し付ける力によって延在部３３が伸びるように弾性変形する。これにより、掛止部３２が第２のケース２０の被掛止部２５の山部２５１を乗り越える。その後、押し付け力を解除すると、第２の部分３３２が復元して第２のケース２０の被掛止部２５に掛止され、第１のケース１０と第２のケース２０とが締結される。
【００３６】
このように、本実施形態によれば、クランプ３０の延在部３３の連結部３３３を外周側から第１のケース１０及び第２のケース２０に向けて押し付ける一連の工程によって、第１のケース１０に対してクランプ３０を組み付けるとともにクランプ３０によって第１のケース１０と第２のケース２０とを締結することができる。
【００３７】
以上説明した本実施形態に係るクランプ及びクランプ締結構造によれば、以下に示す効果が得られるようになる。
（１）クランプ３０の基端部３１は、第１のケース１０に対して外周側から組み付けられて回動不能に支持される。掛止部３２は、基端部３１よりも後側に位置しており、延在部３３は、基端部３１の後端に連なる第１の部分３３１と、掛止部３２の後端に連なる第２の部分３３２と、掛止部３２よりも後側に位置するとともに第１の部分３３１と第２の部分３３２とを連結する連結部３３３とを有している。第１の部分３３１及び第２の部分３３２は、それぞれ平面状をなしている。
【００３８】
こうした構成によれば、上記作用を奏することから、第１のケース１０に対するクランプ３０の組み付け作業及びクランプ３０による第１のケース１０と第２のケース２０との締結作業の工数を減らすことができる。
【００３９】
（２）第１の部分３３１及び第２の部分３３２は、それぞれ平面状をなしている。
こうした構成によれば、クランプ３０の形状が簡単になる。このため、クランプ３０を容易に形成することができる。
【００４０】
（３）基端部３１は、延在部３３に連なるストレート部３１１と、ストレート部３１１の前側の端にて後側に向けて折り返された折り返し部３１２とを有している。ストレート部３１１及び折り返し部３１２の外面は、第１のケース１０における組み付け位置に向けて基端部３１を案内する案内面を形成している。
【００４１】
こうした構成によれば、第１のケース１０に対して基端部３１を組み付ける際に、基端部３１が自身の案内面に沿って案内される。このため、第１のケース１０に対して基端部３１を円滑且つ安定して組み付けることができる。
【００４２】
（４）折り返し部３１２の先端には、第１のケース１０に係合される係合部３１３，３１４が形成されている。
こうした構成によれば、クランプ３０の基端部３１が第１のケース１０から抜け出すことを適切に抑制できる。
【００４３】
（５）エアクリーナのクランプ締結構造は、クランプ３０と、クランプ３０の基端部３１を回動不能に支持する支持部１５を有する第１のケース１０と、掛止部３２が掛止される被掛止部２５を有する第２のケース２０とを備えている。掛止部３２が被掛止部２５に掛止されることで第１のケース１０と第２のケース２０とが締結される。
【００４４】
こうした構成によれば、上記効果（１）と同様な効果を奏することができる。
（６）折り返し部３１２の先端には、内側係合部３１３が形成されている。支持部１５は、クランプ３０の基端部３１が挿入される挿入凹部１５１と、内側係合部３１３が係合されることにより挿入凹部１５１からの基端部３１の抜け出しを規制する規制突部１５２とを有している。
【００４５】
こうした構成によれば、挿入凹部１５１に対してクランプ３０の基端部３１が挿入されると、内側係合部３１３が規制突部１５２に係合されることによって基端部３１の抜け出しが規制される。このため、クランプ３０の基端部３１を回動不能に支持する支持部１５を簡易な構成にて具現化することができる。
【００４６】
＜変形例＞
なお、上記実施形態は、例えば以下のように変更することもできる。
・基端部３１の内側係合部３１３をその基端において外側係合部３１４のように折り曲げる一方、各外側係合部３１４については折り曲げないようにしてもよい。この場合、対向壁１５４の下端における一対の外側係合部３１４に対応する位置に、規制突部１５２を形成すればよい。また、内側係合部３１３に対応する位置に連結部１５６を形成すればよい。
【００４７】
・基端部３１の一対の外側係合部３１４のうちの一方を省略することもできる。
・連結部３３３は、後側に向けて突出した断面円弧状をなすものに限定されない。他に例えば、図８に示すように、連結部３３３が直交方向Ｂに沿って延在する形状にすることもできる。
【００４８】
・延在部３３を構成する第１の部分３３１及び第２の部分３３２は、平面状をなすものに限定されない。他に例えば、図９に示すように、第１の部分３３１及び第２の部分３３２がそれぞれ前側に向けて膨出した円弧面状をなすものであってもよい。あるいは、第１の部分３３１及び第２の部分３３２のいずれか一方が前側に向けて膨出した円弧面状をなすものであってもよい。
【００４９】
・連結部３３３を、直交方向Ｂにおいて基端部３１と掛止部３２との中間位置よりも基端部３１に近接した位置に形成することもできる。また、連結部３３３を、直交方向Ｂにおいて基端部３１と掛止部３２との中間位置よりも掛止部３２に近接した位置に形成することもできる。
【符号の説明】
【００５０】
１０，１１０…第１のケース、１１…開口、１２…周壁、１３…フランジ、１４…インレット、１５，１１５…支持部、１５１…挿入凹部、１５２…規制突部（規制部）、１５３…突出壁、１５４…対向壁、１５５…支持壁、１５６…連結部、２０，１２０…第２のケース（第２部材）、２１…開口、２２…周壁、２３…フランジ、２４…アウトレット、２５，１２５…被掛止部、２５１…山部、２６…リブ、３０，１３０…クランプ、３１，１３１…基端部、３１１…ストレート部、３１２…折り返し部、３１３…内側係合部、３１４…外側係合部、３２，１３２…掛止部、３３，１３３…延在部、３３１…第１の部分、３３２…第２の部分、３３３…連結部、３４，１３４…操作部、４０…フィルタエレメント、４１…濾過部、４２…シール部。
【図１】
2018091363.tif 000003
【図２】
2018091363.tif 000004
【図３】
2018091363.tif 000005
【図４】
2018091363.tif 000006
【図５】
2018091363.tif 000007
【図６】
2018091363.tif 000008
【図７】
2018091363.tif 000009
【図８】
2018091363.tif 000010
【図９】
2018091363.tif 000011
【図１０】
2018091363.tif 000012